(57)【要約】【課題】  耐クラック性能と硬度を両立させた塗装木質基材を得るための光ラジカル反応性塗料を用いた塗装木質基材、特に、溝を有する木製床材の製造方法を提供する【解決手段】  溝を有する木質基材を用いた塗装木質基材の製造方法であって、第一の光ラジカル反応性塗料組成物のホットメルト方式での塗装に於いて、ナチュラルロールコーターでの塗工に続く、ナチュラルリバースコーターでの塗工を採用すること、及び、第二の光ラジカル反応性塗料組成物を塗工することを特徴とする塗装木質基材の製造方法。【選択図】    なし【特許請求の範囲】
【請求項１】
合板木質基材に、光ラジカル反応性塗料組成物を塗工する工程と、活性エネルギー線を照射する工程とを有する塗装木質基材の製造方法であって、
該合板木質基材が、単板厚が０．０３ｍｍ〜２．０ｍｍであり、横幅１．０ｍｍ〜３．０ｍｍ、深さ０．５ｍｍ〜１．５ｍｍの溝を有する合板であり、
（１）第一の塗工工程として、１分子中に（メタ）アクリロイル基を１個以上有する樹脂組成物（Ａ）と、光ラジカル重合開始剤（Ｂ）を含有し、かつ、反応性希釈剤を実質的に含有しない第一の光ラジカル反応性塗料組成物を、塗工時の塗料温度が５０〜１５０℃、塗料粘度が１００〜１０，０００ｍＰａ・ｓの条件下、ナチュラルロールコーターで、塗布量が２０〜１００ｇ／ｍ２となるように塗工する工程、
（２）前記塗工工程で塗布された第一の光ラジカル反応性塗料組成物を、リバースロールコーターで、１０〜５０ｇ／ｍ２の範囲で除去し、ナチュラルロールコーターとリバースロールコーターによる第一の光ラジカル反応塗料組成物の塗布量の合計が、２０〜６０ｇ／ｍ２とする工程、
（３）第一の紫外線照射を行う工程、
（４）第二の塗工工程として、１分子中に（メタ）アクリロイル基を１個以上有する樹脂組成物（Ａ）と、光ラジカル重合開始剤（Ｂ）を含有し、かつ、反応性希釈剤を実質的に含有しない第二の光ラジカル反応性塗料組成物を、塗工時の塗料温度が５０〜１００℃、塗料粘度が１００〜５，０００ｍＰａ・ｓの条件下、ナチュラルロールコーターで、塗布量が５〜４０ｇ／ｍ２、となるように塗工する工程、
（５）第二の紫外線照射を行う工程を、この順に有すること特徴とする塗装木質基材の製造方法。
【請求項２】
第二の塗工工程に用いる、第二の光ラジカル反応性塗料組成物が、ホワイトアランダムを含有する光ラジカル反応性塗料組成物である請求項１に記載の塗装木質基材の製造方法。
【請求項３】
第二の紫外線照射工程の後に、５〜７０グロスに調整された第三の光ラジカル反応性塗料組成物により形成された艶消し保護層を設ける工程を有する請求項１又は２に記載の塗装木質基材の製造方法。
【請求項４】
請求項１〜３の何れかに記載された製造方法により製造された塗装木質基材。
【発明の詳細な説明】
【技術分野】
【０００１】
本発明は、木質基材に適用可能な光ラジカル反応性塗料組成物を単板厚０．０３ｍｍ〜２．０ｍｍの合板木質基材に塗装した塗装木質基材の製造方法に関する。
【背景技術】
【０００２】
近年、ホットカーペットや床暖房設備が発達し、フローリングのような木質床材が幅広い温度差にさらされる機会が増えている。近年意匠性の高い木材は入手が困難な上、価格が高い。そのため意匠性の高い木材を薄くスライスしたものを貼り付けた合板が床材に使用されているが、このような合板はその製法上表面単板が熱による収縮に弱く、激しい温度差にさらされると、耐え切れずに基材そのものにクラック（ひび割れ）を生じてしまうことがある。
【０００３】
近年、床材の分野においては溶剤をほとんど含有しない紫外線硬化型塗料が多く使用されている。このタイプの塗料は、現行の設備で塗工する際に適正な塗装粘度にするためには、低分子の活性エネルギー線重合性の希釈モノマーを加えたり、有機溶剤等で希釈する必要があるが、希釈モノマーで希釈すると塗膜物性が十分な強度を示さず、溶剤での希釈はシックハウス症候群などの観点から実質的に採用できない。
【０００４】
このような紫外線硬化型塗料において、木質基材の膨張、収縮を防ぐ、乃至は、膨張、収縮に耐えるだけの柔軟性を持たすべく、柔軟な樹脂成分を含有させることで塗膜を強化することが考慮されているものの、現段階では、塗料のみで、木材の膨張、収縮を完全に防ぐことは極めて困難である（例えば、特許文献１参照）。
【０００５】
紫外線硬化型塗料のホットメルト方式での塗装に於いて、ナチュラルリバースコーター方式を採用することにより、割れない程度の柔軟性と床材に求められる硬度を持った塗膜も提案されている（例えば、特許文献２参照）。しかしながら、溝を有するフローリングでは、塗膜の性能を確保すると、溝が埋まる一方、溝が埋まらない程度の塗装ではフローリングとして十分の硬さを発揮しにくい傾向がある。
【０００６】
また、ライン塗装においては基材の温度が高温となり、また着色剤の残留溶剤由来の発泡など前記特許文献の方法のみでは実生産において問題が多い。
【０００７】
【特許文献１】特開２０００−００７７５３号公報
【特許文献２】特開２００７−２５３０１９号公報
【発明の開示】
【発明が解決しようとする課題】
【０００８】
本発明の課題は、このような従来技術の抱える課題を解決するものであり、耐クラック性能と硬度を両立させた塗装木質基材を得るための光ラジカル反応性塗料を用いた塗装木質基材、特に、溝を有する木製床材の製造方法を提供することにある。
【課題を解決するための手段】
【０００９】
本発明者らは、鋭意検討の結果、第一の光ラジカル反応性塗料組成物のホットメルト方式での塗装に於いて、ナチュラルロールコーターでの塗装とともに、ナチュラルリバースコーターを採用すること、及び、第二の光ラジカル反応性塗料組成物を塗工することにより、塗料自身の性能を最大限活かして塗装することで、溝を有する基材に対しても、割れない程度の柔軟性と床材に求められる硬度を持った塗膜が低コストで実現できることを見出し本発明に至った。
【００１０】
すなわち、本発明は、合板木質基材に、光ラジカル反応性塗料組成物を塗工する工程と、活性エネルギー線を照射する工程とを有する塗装木質基材の製造方法であって、
該合板木質基材が、単板厚が０．０３ｍｍ〜２．０ｍｍであり、横幅１．０ｍｍ〜３．０ｍｍ、深さ０．５ｍｍ〜１．５ｍｍの溝を有する合板であり、
（１）第一の塗工工程として、１分子中に（メタ）アクリロイル基を１個以上有する樹脂組成物（Ａ）と、光ラジカル重合開始剤（Ｂ）を含有し、かつ、反応性希釈剤を実質的に含有しない第一の光ラジカル反応性塗料組成物を、塗工時の塗料温度が５０〜１５０℃、塗料粘度が１００〜１０，０００ｍＰａ・ｓの条件下、ナチュラルロールコーターで、塗布量が２０〜１００ｇ／ｍ２となるように塗工する工程、
（２）前記塗工工程で塗布された第一の光ラジカル反応性塗料組成物を、リバースロールコーターで、１０〜５０ｇ／ｍ２の範囲で除去し、ナチュラルロールコーターとリバースロールコーターによる第一の光ラジカル反応塗料組成物の塗布量の合計が、２０〜６０ｇ／ｍ２とする工程、
（３）第一の紫外線照射を行う工程、
（４）第二の塗工工程として、１分子中に（メタ）アクリロイル基を１個以上有する樹脂組成物（Ａ）と、光ラジカル重合開始剤（Ｂ）を含有し、かつ、反応性希釈剤を実質的に含有しない第二の光ラジカル反応性塗料組成物を、塗工時の塗料温度が５０〜１００℃、塗料粘度が１００〜５，０００ｍＰａ・ｓの条件下、ナチュラルロールコーターで、塗布量が５〜４０ｇ／ｍ２、となるように塗工する工程、
（５）第二の紫外線照射を行う工程を、この順に有すること特徴とする塗装木質基材の製造方法を提供する。
【発明の効果】
【００１１】
本発明により、溝を有する木質基材に対しても、耐クラック性能と硬度を両立させた、木肌感を有する塗装木質基材を得るための製造方法を提供することができる。
【発明を実施するための最良の形態】
【００１２】
本発明は、光ラジカル反応性塗料組成物を合板の木製製品に塗装した塗装木質基材の製造方法に関する。
【００１３】
以下、本発明の構成を、１分子中に（メタ）アクリロイル基を１個以上有する樹脂組成物（Ａ）、すなわち、オリゴマー成分と、光ラジカル重合開始剤（Ｂ）を有する塗料組成物、塗工方式、紫外線照射条件等について詳細に説明する。
【００１４】
本発明に用いる光ラジカル反応性塗料組成物は、第一の光ラジカル反応性塗料組成物及び第二の光ラジカル反応性塗料組成物ともに、１分子中にアクリロイル基またはメタクリロイル基を１個以上含有する樹脂組成物（Ａ）と、光ラジカル重合開始剤（Ｂ）を含有し、かつ、反応性希釈剤を実質的に含有しない塗料組成物であり、紫外線照射により高分子化し得るものである。
【００１５】
前記した第一及び第二の光ラジカル反応性塗料組成物は、不揮発分中に従来公知の活性エネルギー線重合性樹脂組成物を任意に用いることができるが、分子量１００〜３００のいわゆる反応性希釈剤（モノマー）成分を、実質的に含有しないことが好ましい。
【００１６】
また、前記した光ラジカル重合開始剤（Ｂ）は、紫外線照射によりラジカルを生成する化合物であり、例えば水素引き抜き型重合開始剤、光開裂型などが挙げられる。水素引き抜き型重合開始剤としては、従来公知のベンゾフェノン、アセトフェノン、ジエトキシアセトフェノン、ベンジル、ベンゾイル安息香酸、ミヒラーズケトン、２−クロロチオキサントン、２，４−ジエチルチオキサントン等が挙げられる。
【００１７】
光開裂型のラジカル重合開始剤としては、ベンゾインエチルエーテル、ベンジルジメチルケタール、ヒドロキシシクロヘキシルフェニルケトン、２−ヒドロキシ−２−メチルフェニルケトン等が挙げられる。これらの水素引き抜き型、光開裂型重合開始剤のうち１種または２種以上のものを組み合わせて使用することができる。
【００１８】
紫外線硬化型重合性オリゴマー成分と光重合開始剤を含有する塗料組成物中の重合開始剤の配合割合は、オリゴマー成分１００質量部に対して１〜１０質量部であることが好ましい。
【００１９】
また、これらの重合開始剤に、公知慣用の光増感剤をも併用することができる。併用する場合は、オリゴマー成分１００質量部に対して１〜１５質量部であることが好ましい。
【００２０】
本発明に用いる、第一及び第二の光ラジカル反応性塗料組成物には、さらに必要に応じて本発明の目的を逸脱しない範囲内で、各種の機能を付与するため着色剤、体質顔料、滑剤、可塑剤、消泡剤、酸化防止剤、カップリング剤、有機溶剤及びキレート剤などの添加剤を添加することができる。
【００２１】
特に、第一の光ラジカル反応性塗料組成物としては、耐クラック性を目的とし塗工する塗料組成物とし、主とするオリゴマー成分は１〜２官能のウレタンアクリレートであることが好ましく、樹脂組成物、光ラジカル重合開始剤の他に、発泡防止やリバースロールによる掻き取り性向上のために、体質顔料や滑り剤、消泡剤等を含有することが好ましい。
【００２２】
本発明に用いる第一の光ラジカル反応性塗料組成物は、塗料温度５０〜１５０℃、塗料粘度が１００〜１０，０００ｍＰａ・ｓであることを特徴とするが、好ましくは、８０℃における粘度が１０００〜５０００ｍＰａ・ｓである。
【００２３】
本発明に用いる第二の光ラジカル反応性塗料組成物は、第一の光ラジカル反応性塗料組成物と同一でも構わないが、目的により他のオリゴマー成分を使用することが出来る。例えば、第一の光ラジカル反応性塗料組成物において耐クラック性が不足する場合は、第一の光ラジカル反応性塗料組成物と同じオリゴマー成分を使用するのが好ましい。また、硬度が不足する場合は、ビスフェノールＡタイプのエポキシアクリレートや多官能のウレタンアクリレートとすることが好ましい。
【００２４】
本発明に用いる第二の光ラジカル反応性塗料組成物には、耐摩耗性向上を目的とし、各種耐磨剤を用いることができる。例えば、ホワイトアランダム、アルミナ粉末、硅砂、グリーンカーボン等を添加することができるが、透明性や色調、コストからホワイトアランダムが好ましい。
【００２５】
本発明に用いる第二の光ラジカル反応性塗料組成物は、塗工時の塗料温度が５０〜１００℃、塗料粘度が１００〜５，０００ｍＰａ・ｓであることを特徴とするが、第一の塗料組成物よりも低粘度であることが好ましい。
【００２６】
本発明の塗装木質基材の製造方法は、第一の塗工工程に於いて、ナチュラルロールコーターを用い、その後にリバースロールコーターを用いることを主要な特徴としている。基材上に、第一の光ラジカル反応性塗料組成物を所定量ナチュラルロールコーター（Ｉ）で塗工した後、リバースロールコーター（ＩＩ）で、実質、前記塗工塗料の一部を除去することを特徴としている。
【００２７】
ナチュラルロールコーター（Ｉ）と、リバースロールコーター（ＩＩ）が連続して配置された、いわゆるナチュラル・リバースロールコーターが好ましく用いられる。
【００２８】
上記ナチュラルロールコーター（Ｉ）は、一般に、塗工ロールが直径１００〜４００ｍｍのゴム製、または金属製でありドクターロールが５０〜３００ｍｍ金属製である公知慣用の塗工装置である。塗料タンクには塗料温度を５０〜１００℃に加温する設備を有することが望ましい。例えば温水加温設備や蒸気加温設備、又はオイル加温設備、電熱線等、如何なる設備を用いても良い。また、タンク内の塗料温度が均一になるように攪拌機を備えていることがより望ましい。
【００２９】
上記リバースロールコーター（ＩＩ）は、一般に、塗工ロールが直径１００〜４００ｍｍ金属製であり、駆動部分は公知慣用の塗工装置である。本発明で用いるリバースロールコーターは芯部に加温設備を有することが望ましく、ロール面において塗料温度が５０℃以上に保たれることが望ましい。また、塗料タンクはナチュラルロールコーター（Ｉ）とのワンタンク方式が好ましい。
【００３０】
前記したナチュラルロールコーター（Ｉ）で塗工後、基材上の前記した第一の光ラジカル反応性塗料組成物の温度が４０℃以上の状態で、リバースロールコーター（ＩＩ）で塗工を行うことが好ましい。塗料温度４０℃以下では塗料粘度が上がり、塗料を適切な量を除去することが困難になるためである。
【００３１】
本発明において、基材上の前記した光ラジカル反応性塗料組成物の温度が４０℃以上の状態で、活性エネルギー線を照射することが好ましい。塗料温度４０℃以下では塗料粘度が上がり、対クラック性能などの性能を得るための分子の架橋密度を得ることが困難になるためである。
【００３２】
本発明に用いる木質基材としては、例えば、単板厚０．０３ｍｍ〜２．０ｍｍの表面単板を有する、ラワン等の南洋材を貼り合わせただけの普通合板が用いられる。このような単板直下に強化紙、ＭＤＦなどの高価な材料を用いなくても床材に適用できる耐クラック性、硬度を有する床材を得ることが可能である。
【００３３】
本発明の塗装木質基材の製造方法に於いて、第一及び第二の光ラジカル反応性塗料組成物の硬化塗膜層は、木質基材に対する下塗り層に相当する層であるが、木質基材に直接塗工するシーラー層、着色層等を介していても良い。下塗り層とは、主に基材と塗膜を密着させる目的の塗膜層であり、着色、乾燥工程の直後、あるいは直接基材に塗工する層である。着色、乾燥工程の直後は、乾燥工程により基材温度が向上していることから、本発明に用いる第一及び第二の光ラジカル反応性塗料組成物を塗工する工程として特に好ましい。
【００３４】
また、上記の下塗り層としての構成の上に中塗り層、上塗り層があることがより好ましい。光ラジカル反応性塗料組成物により得られる下塗り硬化塗膜の上に、上記の中塗り層、上塗り層を得ることにより、木質製品としてよりよい表面性と艶を得ることが容易になる。
【００３５】
基材への着色は、特に限定されるものではなく、従来公知の方法でかまわない。例えばスポンジリバースコーター、ナチュラルコーターのウェット・オン・ウェット方式で塗工することにより塗工される。また、着色前に事前にシーラー（捨て塗り）処理や、素地研磨処理されていてもかまわない。また着色後は着色剤に使用されている溶剤や水が十分乾燥し得るだけの乾燥工程があることが特に好ましい。また、着色に用いられる塗料としては、従来公知の油性、水性いずれのものを用いても構わないが、ＶＯＣの観点から、水性の顔料分散体を用いることが好ましい。
【００３６】
下塗層の塗工工程とトップコート層の塗工工程の間には別の工程があっても構わない。例えば、溝部を塗装するためにスポンジリバースコーターを用いたり、ナチュラルコーターを用いても構わない。またこれらの工程で用いられる塗料としては、従来公知のものが使用できる。
【００３７】
トップコートの塗装も従来公知の方法で構わず、ナチュラルコーターや、フローコーター、スプレー等を用いることができる。これらの工程で用いられる塗料は従来公知のものを用いることができるが、ＶＯＣ問題や、既存設備を利用できることから活性エネルギー線硬化型の塗料を用いることが好ましい。
【００３８】
また、本発明の塗装木質基材の製造方法に於いて、塗装時の基材温度は０〜１００℃であることが好ましいが、４０〜９０℃であることがより好ましい。４０℃以下では塗装した光ラジカル反応性塗料組成物の塗装後の表面のレベリング性が得られにくく、木質基材に９０℃を超える温度がかかるとケバの発生など木質基材そのものが劣化する恐れがある。
【００３９】
本発明の、塗装木質基材の製造方法において、照射工程に使用する活性エネルギー線とは紫外線、電子線、γ線の如き、電離性放射線や電磁波などであるが、一般の照射工程における活性エネルギー線としては紫外線が好ましい。紫外線を照射する場合、高圧水銀灯、エキシマランプ、メタルハライドランプ等を備えた公知の紫外線照射装置を使用することができる。
【００４０】
本発明は、第一の光ラジカル反応性塗料組成物の塗工方法として、ホットメルト方式の、ナチュラルロールコーター塗工及び引き続きナチュラルリバース塗りを採用することにより、（１）適正な塗装温度での塗工が可能となる、（２）耐クラック性の弱い木材の導管部にも塗工し、より良好な耐クラック性を有する木質基材を得ることができる、（３）良好な目止め性を得ることが可能となり平滑な塗膜面を得ることができる等の効果を得る。
【００４１】
また、ナチュラルリバースロール塗工工程後、紫外線照射をした後、さらにナチュラルコーターによる第二の光ラジカル反応性塗料組成物で、ホットメルト層を重ねることにより、（１）工程を二度に分けることができるため、一度に大量の塗布量を載せる必要がなくなり、第一の光ラジカル反応性塗料組成物及び第二の光ラジカル反応性塗料組成物でのナチュラルリバースロール塗工工程の塗布量を下げることが可能となり、塗工適性が向上する、（２）木材に、より良好な目止めが可能となる、（３）より低コストの塗料が実現可能となる、（４）第一の光ラジカル反応性塗料組成物と第二の光ラジカル反応性塗料組成物の組み合わせにより、良好な仕上がり面、物性面が実現できる。そのため、塗装工程の簡略化が期待される等の付加的な効果を有する。
【実施例】
【００４２】
（下塗り層形成のための、光ラジカル反応性塗料組成物の調製）
１分子中にアクリロイル基又はメタクリロイル基を１個以上含有する樹脂組成物（Ａ）として、以下のオリゴマーを用いた。
オリゴマー（a）：水添ジフェニルメタンジイソシアネート及び３官能型ポリプロピレングリコール及びハイドロキシエチルアクリレートからなるウレタンアクリレートであり、平均分子量は１８００である。
オリゴマー（b）：ビスフェノールＡ型エポキシアクリレートであり、平均分子量は４３０である。
上記オリゴマー成分を１００℃で加熱、光ラジカル重合開始剤（ダロキュア１１７３：チバスペシャリティーケミカルズ社製）、体質顔料としては、ミクロンホワイト５０００Ａ（林化成社製）、消泡剤としてはＢＹＫ−０７７（ＢＹＫ―Ｃｈｅｍｉｅ社製）を添加し、攪拌、混合することにより、表１に記載の各下塗り層形成用塗料として、光ラジカル反応性塗料組成物（ａ）（表中では「塗料（ａ）」と標記）、光ラジカル反応性塗料組成物（ｂ）（表中では「塗料（ｂ）」と標記）を調製した。実施例１では、第一の光ラジカル反応性塗料組成物及び第二の光ラジカル反応性塗料組成物として、同じ、塗料（ａ）を採用した。実施例２では、第一の光ラジカル反応性塗料組成物として、塗料（ａ）を、第二の光ラジカル反応性塗料組成物として、塗料（ｂ）を採用した。
【００４３】
【表１】
2010063994.tif 000002
【００４４】
実施例、比較例の塗装木質基材を得るために、下記の塗工機を用いた。
（１）ナチュラル・リバースロールコーター
第一の塗工工程に用いるナチュラルロールコーターとリバースロールコーターを備えた２連塗装機である。ナチュラルロールコーター（Ｉ）のコーティングロールは、直径２２０ｍｍ、長さ４６０ｍｍで５０度のブチルゴムを１５ｍｍの厚さで巻き、５０ｍ／ｍｉｎの速度で基材搬送に対し順回転させる。同ナチュラルロールコーターのドクターロールは、直径１４０ｍｍ、長さ４６０ｍｍのＳＵＳ製で硬質クロームメッキを施し、１０ｍ／ｍｉｎの速度でナチュラルロールに対し順回転させる。同ナチュラルロールコーターのバックアップロールは直径２２０ｍｍ、長さ３６０ｍｍのスチール製で、５０ｍ／ｍｉｎの速度で基材搬送に対し順回転させる。
リバースロールコーター（ＩＩ）のコーティングロールは、直径２２０ｍｍ、長さ４６０ｍｍのＳＵＳ製で硬質クロームメッキを施し、スチール製のブレードを付け２５ｍ／ｍｉｎの速度で基材搬送に対し逆回転させる。同リバースロールコーターのバックアップロールは、直径２２０ｍｍ、長さ３６０ｍｍで、８０度のシリコンゴムを１５ｍｍの厚さで巻き、５０ｍ／ｍｉｎの速度で基材搬送に対し順回転させる。
【００４５】
第二の塗工工程に用いるナチュラルコーターは、上記のナチュラル・リバースコーターのナチュラルロールコーター部分を利用した。
【００４６】
基材はオーク着き板貼りラワン合板、単板厚０．３ｍｍ、横幅３００ｍｍ木質基材に、横幅１００ｍｍおきに、幅２ｍｍ、深さ１ｍｍのＶ型の溝が施された木質基材を用いた。
【００４７】
上記合板上に生地研磨と水性着色処理を行い、下塗り層形成用の、塗料（ａ）、（ｂ）を、各塗装機及び塗装条件にて、塗料温度８０℃に於いてそれぞれ塗工した。それぞれの紫外線照射は、４０℃の条件で、１００ｍＪ／ｃｍ２の紫外線照射量で硬化させた。得られた硬化塗膜に対し、＃２４０の耐水研磨紙で研磨を行い、その後、それぞれ下記の上塗り塗料を塗工した。
【００４８】
（上塗り塗料の調製）
アクリレートオリゴマー成分、ユニディックＶ−５５０８（大日本インキ化学工業：エポキシアクリレート）を５０部、２官能アクリレートモノマー、トリメチロールプロパンジアクリレート（東亞合成：アロニックスＭ−２２０）を２０部、光重合開始剤、イルガキュア１８４（チバスペシャリティーケミカルズ）を５部、ベンゾフェノンを１部、艶消し剤、ミネックス＃７（白石カルシウム）を１５部、サイロイドＥＤ−５０（グレースジャパン）を３部、ミクロンホワイト５０００Ａ（林化成）を１５部配合し、攪拌、混合し、上塗り塗料を得た。
【００４９】
前記した上塗り塗料を、基材温４０℃、塗料温度４０℃において、塗布量が１０ｇ／ｍ２になるように、それぞれ塗工した。それぞれの紫外線照射は、常温で、１６０ｍＪ／ｃｍ２の紫外線照射量で硬化させ、実施例、比較例の塗装木質基材を得た。
【００５０】
以上により得られた塗装木質基材の硬化塗膜に対し、平滑感を目視にて確認すると同時に、同硬化塗膜に対してＪＡＳ寒熱試験と、ＪＩＳ引っかき硬度試験（鉛筆法）の両試験を行った。ＪＡＳ寒熱試験は同一基材に対し、複数サイクルを繰り返すことで性能の優劣を評価した。
【００５１】
（塗膜平滑感評価）
◎：平滑感が高く鏡面に近い
○：平滑感は有るが僅かにロール塗装に起因する凹凸（ローピング）が認められる
△：ロール塗装に起因する凹凸（ローピング）がやや目立つ
×：ロール塗装に起因する凹凸（ローピング）が著しく、平滑感に欠ける
【００５２】
（溝部仕上がり）
○：溝部への垂れ込みがない
×：溝部への垂れ込みがある
【００５３】
（耐クラック性能評価）
１ｃｍ以下の割れが３本到達するまでのサイクル数
【００５４】
引っかき硬度試験は、鉛筆で硬化塗膜を引っかく際に、塗膜に塑性変形（押し傷）が生じない硬度の上限で評価した。例えば、実施例１では、硬度２Ｈまでは塑性変形が生じず、硬度３Ｈで塑性変形が生じたことを意味する。評価結果を表２に示す。
【００５５】
【表２】
2010063994.tif 000003
【産業上の利用可能性】
【００５６】
本発明により、耐クラック性能と硬度を両立させ、かつ平滑感を有する塗装木質基材を得るための製造方法を提供することができる。この結果、木質基材の使用の自由度が高まり、例えば、国内産の針葉樹等の比較的軟らかく従来床板に不向きであった木材も床板に採用する可能性が示唆される。